(57)【要約】【課題】電子番組表の中から所望のテレビ番組をユーザが直接選択できるようにし、電子番組表を利用して録画予約する時のユーザの使い勝手を向上させた録画装置を提供する。【解決手段】Ｄ選択キー２０３が押下されると、ＥＰＧ中の各チャンネル番号に、異なる数字を対応付けたEPGが、テレビジョン１０１において表示される。ユーザは、この画面を見て、所望のテレビ番組１０９が放送される８１ＣＨに対応付けられている「４」の数字キー２０１を押下して「４」を指定する。すると、指定された数字に対応するチャンネル番号の各時間帯に放送されるテレビ番組のそれぞれに異なる数字を対応付けたEPGが、テレビジョン１０１において表示される。ユーザは、この画面を見て、所望のテレビ番組１０９に対応付けられている「４」の数字キー２０１を押下して「４」を指定する。これにより、指定された数字に対応するテレビ番組が録画予約される。【選択図】  図４
2009194588.tif 000002
【特許請求の範囲】
【請求項１】
ディジタル放送波を受信し、テレビ番組の番組データと、全テレビ番組の放送予定を示す電子番組表データと、を抽出する受信手段と、
前記受信手段で抽出される前記電子番組表データに基づいて、全テレビ番組が時刻とチャンネル番号とに対応付けられた電子番組表の画像信号を出力する出力手段と、を備え、前記出力手段から出力された画像信号に基づく画像を画面に表示する表示器に接続される録画装置において、
複数の記号の内のいずれかの記号の指定を受付ける指定手段を備え、
前記出力手段は、
予め定めた入力操作が行われると、前記電子番組表中の各チャンネル番号に、異なる記号を対応付けた第１の合成画像信号を前記表示器に出力し、
前記指定手段でが指定されると、指定された記号に対応するチャンネル番号の各時間帯に放送されるテレビ番組のそれぞれに異なる記号を対応付けた第２の合成画像信号を前記表示器に出力し、
前記指定手段でがさらに指定されると、指定された記号に対応するテレビ番組の録画予約を登録する記憶手段と、
前記録画予約に従って、前記受信手段で抽出される前記番組データをメディアに録画する録画手段と、を備える録画装置。
【請求項２】
前記出力手段は、前記電子番組表中の各チャンネル番号の表示方法を、その他の部分の表示方法と変えて前記第１の合成画像信号を前記表示器に出力する請求項１に記載の録画装置。
【請求項３】
前記出力手段は、指定された記号に対応するチャンネル番号の各時間帯に放送されるテレビ番組の一覧の表示方法を、その他のチャンネル番号の各時間帯に放送されるテレビ番組の一覧の表示方法と変えて前記第２の合成画像信号を前記表示器に出力する請求項１又は２に記載の録画装置。
【請求項４】
前記メディアは、磁気ディスク又は光ディスクである請求項１から３のいずれかに記載の録画装置。
【発明の詳細な説明】
【技術分野】
【０００１】
本発明は、電子番組表を表示し、その電子番組表によりテレビ番組の録画予約を行う録画装置に関するものである。
【背景技術】
【０００２】
ユーザによって設定される録画予約に従って、ディジタル放送で放送されるテレビ番組をメディアに録画する録画装置が一般に広く普及している。該メディアは、例えばＤＶＤである。
現行のディジタル放送では、テレビ番組の他に、番組情報が放送されている。詳述すると、放送局は、番組情報として、数時間先の番組内容や、チャンネル内容等を送出する。また、受信側の録画装置は、放送局側から伝送されてきた該番組情報を受信する。そして、録画装置は、該番組情報から電子番組ガイド（EPG：Electronic Program Guide）を作成し、表示画面上でその電子番組ガイドをユーザに提供している。そして、ユーザは、この電子番組ガイドを利用して録画予約を行っている。
【０００３】
一般的には特許文献１に示すような録画装置が提案されている。この録画装置は、全テレビ番組が時刻とチャンネル番号とに対応付けられた電子番組表を表示する表示部と、電子番組表内に表示されたカーソルを所望のテレビ番組に移動させてそのテレビ番組を選択させる選択部と、を備え、選択部で選択されたテレビ番組を録画予約する。
【特許文献１】特開２００５−２２９２４８公報
【発明の開示】
【発明が解決しようとする課題】
【０００４】
しかしながら、近年、ディジタル放送技術の進展に伴い、放送の多チャンネル化が進んでいる。これにより、電子番組表に表示されるテレビ番組の数も非常に多くなってきている。
そのため、特許文献１に示すような従来の録画装置では、ユーザは所望のテレビ番組の位置までカーソルを移動させる操作を行わなければならないが、その操作回数も非常に多くなってきていた。従って、従来の録画装置では、電子番組表を利用して録画予約する時のユーザの使い勝手が悪くなってきた。
【０００５】
本発明はこのような従来の課題を解決しようとするものであり、電子番組表の中から所望のテレビ番組をユーザが直接選択できるようにし、電子番組表を利用して録画予約する時のユーザの使い勝手を向上させた録画装置を提供することを目的とする。
【課題を解決するための手段】
【０００６】
本発明の録画装置は、前記課題を解決するために以下の構成を備えている。
【０００７】
（１）ディジタル放送波を受信し、テレビ番組の番組データと、全テレビ番組の放送予定を示す電子番組表データと、を抽出する受信手段と、
前記受信手段で抽出される前記電子番組表データに基づいて、全テレビ番組が時刻とチャンネル番号とに対応付けられた電子番組表の画像信号を出力する出力手段と、を備え、前記出力手段から出力された画像信号に基づく画像を画面に表示する表示器に接続される録画装置において、
複数の記号の内のいずれかの記号の指定を受付ける指定手段を備え、
前記出力手段は、
予め定めた入力操作が行われると、前記電子番組表中の各チャンネル番号に、異なる記号を対応付けた第１の合成画像信号を前記表示器に出力し、
前記指定手段でが指定されると、指定された記号に対応するチャンネル番号の各時間帯に放送されるテレビ番組のそれぞれに異なる記号を対応付けた第２の合成画像信号を前記表示器に出力し、
前記指定手段でがさらに指定されると、指定された記号に対応するテレビ番組の録画予約を登録する記憶手段と、
前記録画予約に従って、前記受信手段で抽出される前記番組データをメディアに録画する録画手段と、を備える。
【０００８】
この構成において、表示器は、例えばモニターやテレビジョンである。また、記号は、例えば数字や文字である。
この構成では、まず、ユーザが予め定めた入力操作を行うと、第１の合成画像信号に基づく電子番組表の画像が表示器で表示される。この電子番組表には、チャンネル番号のそれぞれに、異なる記号が対応付けられている。ユーザは、この電子番組表を見て、指定手段で記号を指定する。すると、第２の合成画像信号に基づく電子番組表の画像が表示器で表示される。この電子番組表には、指定された記号に対応するチャンネル番号の各時間帯に放送されるテレビ番組のそれぞれに、異なる記号が対応付けられている。ユーザは、この電子番組表を見て、指定手段で記号を指定する。すると、指定された記号に対応するテレビ番組の録画予約が登録され、その録画予約に従ってテレビ番組がメディアに録画される。
よって、ユーザは、チャンネル番号と時間帯を指定する２回の操作を行うだけで、電子番組表の中から所望のテレビ番組を直接選択できる。従って、電子番組表を利用して録画予約する時のユーザの使い勝手を向上させることができる。
【０００９】
（２）前記出力手段は、前記電子番組表中の各チャンネル番号の表示方法を、その他の部分の表示方法と変えて前記第１の合成画像信号を前記表示器に出力する。
【００１０】
この構成では、表示方法を変えることで、指定する部分を強調して表示している。これによりユーザの操作を補助している。そのため、ユーザは、チャンネル番号と時間帯を指定し易くなる。従って、電子番組表を利用して録画予約する時のユーザの使い勝手を一層向上させることができる。
【００１１】
（３）前記出力手段は、指定された記号に対応するチャンネル番号の各時間帯に放送されるテレビ番組の一覧の表示方法を、その他のチャンネル番号の各時間帯に放送されるテレビ番組の一覧の表示方法と変えて前記第２の合成画像信号を前記表示器に出力する。
【００１２】
この構成では、表示方法を変えることで、指定する部分を強調して表示している。これによりユーザの操作を補助している。そのため、ユーザは、チャンネル番号と時間帯を指定し易くなる。従って、電子番組表を利用して録画予約する時のユーザの使い勝手を一層向上させることができる。
【００１３】
（４）前記メディアは、磁気ディスク又は光ディスクである。
【発明の効果】
【００１４】
この発明によれば、電子番組表を利用して録画予約する時のユーザの使い勝手を向上させることができる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録読取部３と、ユーザによる入力操作を受け付ける操作部５と、情報を表示する表示部７と、データを記憶する記憶部６と、音声データをアナログの音声信号に変換する音声出力部１１と、画像データをアナログの画像信号に変換する画像出力部１３と、デコードされた画像データに基づく画像にＯＳＤ（On Screen Display）画像を重ね合わせた合成画像を生成するＯＳＤ処理部１２と、ＴＶ放送信号を受信してＡＶ（オーディオ・ビデオ）データ等を取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、ＤＶＤ−ＲＡＭ、又はブルーレイディスクである。ここで、実施の際は、光ディスク以外のメディアである磁気ディスクや半導体メモリでも構わない。
【００１７】
ここで、ＰＵヘッド２、記録読取部３、および制御部４が、本発明の「録画手段」に相当する。また、表示部７又はテレビジョン１０１が、本発明の「表示器」に相当する。また、ＯＳＤ処理部１２、画像出力部１３、および制御部４が、本発明の「出力手段」に相当する。また、操作部５が、本発明の「指定手段」に相当する。
【００１８】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。ＬＤは、レーザ光を出力する光源である。フォトディテクタは、複数の受光素子で形成されており、光ディスク１００からの反射光を検出する。
【００１９】
まず、録画を行う部分の説明を行う。
受信部１０は、例えばディジタルチューナである。受信部１０は、放送局から伝送されるＴＶ放送信号を、アンテナ（不図示）を介して受信する。さらに、受信部１０は、該ＴＶ放送信号から、選択されているチャンネルで放送されるＴＶ放送信号を抽出し、復調してディジタルデータを取り出す。そして、受信部１０は、そのトランスポートストリームを記録読取部３に出力する。このディジタルデータは、所謂トランスポートストリームである。また、ディジタルデータには、ＭＰＥＧでエンコードされたＡＶデータ（番組データ）と、ＥＰＧデータと、が含まれる。ＥＰＧデータは、放送局から随時伝送されてくるデータである。そのため、野球番組などの急な延長にも対応できるようになっている。
【００２０】
記録読取部３は、記録データを一時的に格納するバッファＲＡＭ３Ａを内蔵する。記録読取部３は、受信部１０から出力されたトランスポートストリームから、画像データと音声データとEPGデータとを分離抽出する。そして、記録読取部３は、抽出した画像と音声等のデータをバッファＲＡＭ３Ａに一旦格納するとともに順次読み出し、ＰＵヘッド２に出力する。
【００２１】
ＰＵヘッド２は、記録読取部３からディジタル信号が入力されると、このディジタル信号に応じて記録パワーのレーザ光を制御し、光ディスク１００の記録面に照射する。これにより、テレビ番組を示す番組データが、光ディスク１００に記録される。
【００２２】
一方、記録読取部３は、分離したＥＰＧデータを制御部４に出力する。そして、制御部４は、記録読取部３から出力されたEPGデータを記憶部６に記録する（正確には最新の情報に更新する）。ここで、EPGデータは、ＥＰＧ（電子番組ガイド）を構成するデータである。EPGデータには、各チャンネルで放送されているテレビ番組の属性（テレビ番組名、テレビ番組のチャンネル、テレビ番組の放送開始時刻および放送終了時刻等）が記述されている。
【００２３】
次に、再生を行う部分の説明を行う。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２４】
記録読取部３は、さらに、再生データを一時的に格納するバッファＲＡＭ３Ｂを内蔵する。記録読取部３は、ＰＵヘッド２における複数の受光素子の出力に基づいてＲＦ信号を生成し、前記ＲＦ信号を増幅する。そして、記録読取部３は、前記ＲＦ信号を処理してデータを取り出す。ここで、取り出される画像と音声等のデータは、例えばＭＰＥＧでエンコードされている。そして、記録読取部３は、制御部４の指示に基づいて、取り出した画像と音声等のデータをバッファＲＡＭ３Ｂに一旦格納するとともに順次読み出す。そして、記録読取部３は、読み出した画像と音声等のデータをデコードする。最後に、記録読取部３は、音声データを音声出力部１１に、画像データをＯＳＤ処理部１２に、両データの同期を取りながら、それぞれ出力する。
【００２５】
音声出力部１１は、伸長された音声データをアナログの音声信号に変換し、その音声信号を外部のテレビジョン１０１に出力する。
【００２６】
ＯＳＤ処理部１２は、ＯＳＤ画像を示すＯＳＤ用データを格納する画像メモリ（不図示）を内臓する。ＯＳＤ処理部１２は、制御部４から伝送される制御信号に基づいて、画像データをスルーして直接出力する場合と、画像データに基づく画像にＯＳＤ画像を重ね合わせた合成画像を生成してその合成画像データを出力する場合と、ＯＳＤ画像だけのＯＳＤ画像データを出力する場合と、で動作を切り替える。この３パターンの動作は、制御部４の制御によって切替えられる。また、ＯＳＤ処理部１２は、ＯＳＤ画像の表示方法（色や枠など）を変更する機能を有する。
【００２７】
また、画像出力部１３は、入力された画像データ画像信号に変換する。または、画像出力部１３は、ＯＳＤ画像データまたは合成画像データのいずれかをアナログの合成画像信号に変換する。そして、画像出力部１３は、これらの画像信号を外部のテレビジョン１０１に出力する。これにより、ユーザは、テレビジョン１０１において、画像信号に基づく画像、及び音声信号に基づく音声を視聴することができる。
なお、テレビジョン１０１がディジタル放送対応のテレビであれば、ディジタルの画像信号、音声信号をテレビジョン１０１に出力しても構わない。
【００２８】
記憶部６は、例えばＥＥＰＲＯＭで構成されている。記憶部６は、光ディスク装置１の各部の制御方法が記述された制御プログラムを記憶する。また、記憶部６は、ユーザにより録画予約された内容（テレビ番組名やチャンネルや放送時刻など）を記憶する。
【００２９】
表示部７は、例えばLCD（Liquid Crystal Display）で構成される。表示部７は、時刻、光ディスク装置１の設定状態などを表示する。
【００３０】
制御部４は、例えばマイクロコンピュータで構成されている。さらに、制御部４は、上記制御プログラムで処理されるデータを展開するためのワークフィールドとしてのＲＡＭ（不図示）と、現在時刻を計時するタイマー回路（不図示）と、を内臓する。制御部４は、光ディスク装置１にユーザから入力された命令に応じて光ディスク装置１の各部の動作を制御する。
【００３１】
操作部５には、リモコン２００からの送信された命令を受信する受光部５Ａが設けられている。
図２は、リモコン２００の外観図である。リモコン２００には、数字を指定するための数字キー２０１と、ＥＰＧの表示を指示するためのＥＰＧキー２０２と、Ｄ選択の入力開始を指示するＤ選択キー２０３と、操作されたキーに応じた制御信号（命令）を送信するＬＥＤ２０５と、が設けられている。ここで、これらのキーの詳細については、後述する。その他、リモコン２００には、例えばチャンネルの選択、電源のON／OFF、音量の調整などを受付けるキーが設けられているが、図示を省略している。ユーザは、いずれかのキーを押下して光ディスク装置１に命令する。
リモコン２００で入力される命令は、ＬＥＤ２０５から送信され、操作部５の受光部５Ａで受信される。そして、操作部５は受信した命令を制御部２に伝送する。
なお、操作部５には、リモコン２００と同じキーが設けられている。
【００３２】
図３は、本発明の実施形態である光ディスク装置の制御部が行う動作を示すフローチャートである。図４、図５は、録画予約時にテレビジョン１０１に表示される表示内容の一例を示す図である。図３の動作は、ユーザが所望のテレビ番組１０９を録画予約する時の場面を想定している。
【００３３】
ユーザがＥＰＧキー２０２を押下すると、制御部４は、ＥＰＧをテレビジョン１０１で表示する（Ｓ１）。詳述すると、制御部４は、記憶部６に記憶されているEPGデータを読出し、ＯＳＤ処理部１２に出力する。すると、ＯＳＤ処理部１２は、EPGデータをＯＳＤ画像データに変換する。そして、ＯＳＤ処理部１２は、そのＯＳＤ画像データを単独で、画像出力部１３に出力する。そして、ＯＳＤ処理部１２は、そのＯＳＤ画像データを画像出力部１３に出力する。これにより、テレビジョン１０１において、例えば図４に示すようなEPGの画像が表示される。
【００３４】
そして、Ｄ選択キー２０３が押下されると（Ｓ２）、制御部４は、ＥＰＧ中の各チャンネル番号に、異なる数字を対応付けた合成画像データを生成するようＯＳＤ処理部１２に指示する（Ｓ３）。これにより、合成画像データに基づく合成画像信号が画像出力部１３から出力され、テレビジョン１０１において、例えば図４に示すようなEPG中に、（１）〜（５）の数字が表示される。また、制御部４は、ＥＰＧ中の各チャンネル番号の周囲に枠１１０をＯＳＤ処理部１２に合成させて、チャンネル番号を強調する。ユーザは、テレビジョン１０１のこの画面を見て、数字キー２０１のいずれかを押下して数字を指定する。この実施形態では、ユーザは、所望のテレビ番組１０９が放送される８１ＣＨに対応付けられている「４」の数字キー２０１を押下して「４」を指定する。
【００３５】
数字キー２０１のいずれかが押下されると（Ｓ４）、制御部４は、指定された数字に対応するチャンネル番号の各時間帯に放送されるテレビ番組のそれぞれに異なる数字を対応付けた合成画像データを生成するようＯＳＤ処理部１２に指示する（Ｓ５）。これにより、合成画像データに基づく合成画像信号が画像出力部１３から出力され、テレビジョン１０１において、例えば図５に示すようなEPG中に、（１）〜（４）の数字が表示される。また、制御部４は、８１ＣＨの各時間帯に放送される各テレビ番組の周囲に枠１１１をＯＳＤ処理部１２に合成させて、チャンネル番号を強調する。ユーザは、テレビジョン１０１のこの画面を見て、数字キー２０１のいずれかを押下して数字を指定する。この実施形態では、ユーザは、所望のテレビ番組１０９に対応付けられている「４」の数字キー２０１を押下して「４」を指定する。
【００３６】
数字キー２０１のいずれかがさらに押下されると（Ｓ６）、制御部４は、指定された数字に対応するテレビ番組の録画予約を記憶部６に登録し（Ｓ７）、本処理を終了する。具体的には、制御部４は、所望のテレビ番組１０９が放送されるチャンネル番号「８１ＣＨ」と、時間帯「ＰＭ２：００から３：００」と、を記憶部６に登録する。そして、制御部４は、録画予約に従って、受信部１０で抽出される番組データを光ディスク１００に録画する。
【００３７】
以上より、ユーザは、チャンネル番号と時間帯を指定する２回の操作を行うだけで、電子番組表の中から所望のテレビ番組１０９を直接選択できる。従って、電子番組表を利用して録画予約する時のユーザの使い勝手を向上させることができる。
【００３８】
また、指定する部分を強調して表示することによりユーザの操作を補助しているので、ユーザは、チャンネル番号と時間帯を指定し易くなる。従って、電子番組表を利用して録画予約する時のユーザの使い勝手を一層向上させることができる。
【００３９】
なお、この実施形態では、Ｄ選択キー２０３を設け、Ｄ選択キー２０３が押下された時にダイレクト選択を開始しているが、実施の際は、ＥＰＧキー２０２が押下された時に、テレビジョン１０１において、例えば図４に示すようなEPG中に、（１）〜（５）の数字が表示される構成でも構わない。
また、この実施形態では、数字を用いているが、数字に限定する趣旨ではなく、実施の際は、アルファベットなどの記号でも構わない。
【図面の簡単な説明】
【００４０】
【図１】本発明の実施形態である光ディスク装置の主要な構成を示すブロック図
【図２】リモコン２００の外観図
【図３】本発明の実施形態である光ディスク装置の制御部が行う動作を示すフローチャート
【図４】録画予約時にテレビジョン１０１に表示される表示内容の一例を示す図
【図５】録画予約時にテレビジョン１０１に表示される表示内容の一例を示す図
【符号の説明】
【００４１】
１−光ディスク装置
２−ピックアップヘッド
２−制御部
３−記録読取部
４−制御部
５−操作部
６−記憶部
７−表示部
１０−受信部
１１−音声出力部
１２−ＯＳＤ処理部
１３−画像出力部
１００−光ディスク
１０１−テレビジョン
１０９−所望のテレビ番組
１１０、１１１−枠
２００−リモコン
２０１−数字キー
２０２−ＥＰＧキー
２０５−ＬＥＤ
【図１】
2009194588.tif 000003
【図２】
2009194588.tif 000004
【図３】
2009194588.tif 000005
【図４】
2009194588.tif 000006
【図５】
2009194588.tif 000007